(57)【要約】【課題】施工現場での対応の自由度を高めるのに適した位置決め具を提供する。【解決手段】室内空間を画定する壁パネル１６より室外側に配置される位置決め具２４であって、ベース２２に対して壁パネル１６を位置決めするための第１位置決め部４２を有する第１部分４４と、壁パネル１６を位置決めするための第２位置決め部４６を有し、第１部分４４の少なくとも一部より第２位置決め部４６が室内外方向Ｙの外側に配置される第２部分４８と、第１部分４４と第２部分４８とを接続する易破断部５０と、を備える。【選択図】図５
2018100580.tif 000002
【特許請求の範囲】
【請求項１】
室内空間を画定する壁パネルより室外側に配置される位置決め具であって、
ベースに対して前記壁パネルを位置決めするための第１位置決め部を有する第１部分と、
前記ベースに対して前記壁パネルを位置決めするための第２位置決め部を有し、前記ベースに取り付けられる第２部分と、
前記第１部分と前記第２部分を接続する易破断部と、を備えることを特徴とする位置決め具。
【請求項２】
前記易破断部の切断に用いる刃物をガイドするためのガイド溝を備える請求項１に記載の位置決め具。
【請求項３】
前記第１部分がある場合、前記第１位置決め部により前記壁パネルを位置決め可能であり、
前記易破断部を破断して前記第１部分を取り除いた場合、前記第２位置決め部により前記壁パネルを位置決め可能である請求項１または２に記載の位置決め具。
【請求項４】
前記第２位置決め部は、前記易破断部より室内外方向の内側に設けられる請求項１から３のいずれかに記載の位置決め具。
【請求項５】
前記第２部分は、中空閉断面を形成する周壁部を有する請求項１から４のいずれかに記載の位置決め具。
【請求項６】
室内空間を形成する壁パネルと、
前記壁パネルより室外側に配置されるベースと、
前記ベースに取り付けられる請求項１から５のいずれかに記載の位置決め具と、を備えることを特徴とするルームユニット。
【請求項７】
前記壁パネルは、前記第１位置決め部と当たることにより位置決めされる第１被当接部と、前記第１被当接部より下方にて前記第１被当接部より室内外方向の外側に設けられた第２被当接部と、を有し、
前記位置決め具は、前記ベースへの取付箇所から前記第２位置決め部までの室内外方向での寸法が、前記取付箇所から前記第２被当接部までの室内外方向での寸法と同等の大きさに設定される請求項６に記載のルームユニット。
【発明の詳細な説明】
【技術分野】
【０００１】
本発明は、ベースに対して壁パネルを位置決めするための位置決め具と、これを用いたルームユニットとに関する。
【背景技術】
【０００２】
特許文献１には、ルームユニットの一例となる浴室ユニットが記載されている。この浴室ユニットは、壁パネルと、壁パネルが固定される柱材と、壁パネルより室外側に配置されるつなぎ材と、つなぎ材に取り付けられる位置決め具と、を備えている。位置決め具は、壁パネルを柱材に固定するときに、つなぎ材に対して壁パネルを位置決めするためのものである。
【先行技術文献】
【特許文献】
【０００３】
【特許文献１】特開２０１４−９５１９号公報
【発明の概要】
【発明が解決しようとする課題】
【０００４】
ところで、ルームユニットの組立予定箇所の寸法は施工現場によって異なる。予め想定していた設計寸法のルームユニットと干渉する障害物が施工現場に存在することもある。このような障害物の存在にルームユニットの部品の現場への搬入後に気づいた場合、通常、障害物との干渉を避けられる設計寸法の部品を再手配する。しかしながら、このような再手配は工期の長期化を招くため、現場に搬入済みの部品を用いて対応できると好ましい。本発明者は、このような観点のもとで検討したところ、従来の位置決め具の構造に関して、改良の余地があるとの認識を得た。
【０００５】
本発明は、このような課題に鑑みてなされ、その目的は、施工現場での対応の自由度を高めるのに適した位置決め具を提供することにある。
【課題を解決するための手段】
【０００６】
本発明の第１態様は位置決め具である。第１態様は、室内空間を画定する壁パネルより室外側に配置される位置決め具であって、ベースに対して前記壁パネルを位置決めするための第１位置決め部を有する第１部分と、前記ベースに対して前記壁パネルを位置決めするための第２位置決め部を有する第２部分と、前記第１部分と前記第２部分とを接続する易破断部と、を備える。
【０００７】
第１態様の位置決め具によれば、位置決め具の易破断部を破断して第１部分を取り除くことで、第２位置決め部を用いて壁パネルを位置決めできる。また、位置決め具に第１部分がないため、位置決め具の納まりを変えつつも、その周辺構造との干渉を避け易くなる。よって、位置決め具の納まりを変えるように現場で調整し易くなり、施工現場での対応の自由度を高め易くなる。
【図面の簡単な説明】
【０００８】
【図１】本実施形態の位置決め具が用いられるルームユニットを示す図である。
【図２】本実施形態の第１の場面での位置決め具の使用状態を周辺構造とともに示す断面図である。
【図３】本実施形態のルームユニットの一部を示す分解斜視図である。
【図４】本実施形態の第１の場面での隣り合う壁パネルを室外側から見た模式図である。
【図５】図２の一部の拡大図である。
【図６】本実施形態の第２の場面での位置決め具の使用状態を周辺構造とともに示す断面図である。
【図７】本実施形態の位置決め具の斜視図である。
【図８】本実施形態の第２の場面での隣り合う壁パネルを室外側から見た模式図である。
【図９】図５のＡ−Ａ線断面図である。
【図１０】図５のＢ−Ｂ線断面図である。
【発明を実施するための形態】
【０００９】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１０】
図１は、本実施形態の位置決め具（不図示）が用いられるルームユニット１２を示す図である。ルームユニット１２は、建物の躯体の内側に配置され、その内側に室内空間１４を形成する。本実施形態のルームユニット１２は浴室ユニットである。ルームユニット１２の内側には室内空間１４として浴室空間が形成される。ルームユニット１２は、四方に配置される複数の壁パネル１６と、複数の壁パネル１６の上方に配置される複数の天井パネル１８とを備える。複数の壁パネル１６と複数の天井パネル１８は室内空間１４を画定する。
【００１１】
図２は、壁パネル１６と天井パネル１８の隅部を周辺構造とともに示す断面図である。図３は、ルームユニット１２の一部を示す分解斜視図である。ルームユニット１２は、図２、図３に示すように、前述の壁パネル１６と、天井パネル１８との他に、床体２０と、ベース２２と、位置決め具２４と、取付部材２６と、塞ぎ部材２８と、締結具３０と、を備える。本実施形態のルームユニット１２は位置決め具２４に主な特徴があるが、先に周辺構造を説明する。
【００１２】
壁パネル１６は、室内空間１４に露出する板状の表面材３２と、表面材３２の裏面に接着等により取り付けられた板状の裏打ち材３４とを有する。本実施形態において、表面材３２は化粧鋼板であり、裏打ち材３４は石膏ボードである。表面材３２は、裏打ち材３４より外周側に広がる主面部３２ａと、主面部３２ａの周縁部から室外側に向けて延びる側壁部３２ｂと、側壁部３２ｂの室外側端部から内周側に向けて延びる折り返し部３２ｃとを有する。折り返し部３２ｃは天井パネル１８の外周部から内周側に折り返すように設けられる。
【００１３】
図３に示すように、本実施形態の床体２０は床パンであり、建物の躯体の床面上に設置される。
【００１４】
ベース２２は、壁パネル１６、天井パネル１８、位置決め具２４の固定相手となり、これらを支持する役割をもつ。ベース２２は壁パネル１６の室外側に配置される。ベース２２は、床体２０の四隅から立ち上がる四本の柱材３６と、四本の柱材３６の上端部を連結する四本のつなぎ材３８とを有する。
【００１５】
図４は、隣り合う壁パネル１６を室外側から見た模式図である。複数の壁パネル１６は水平方向に並べられる。隣り合う壁パネル１６の側辺部同士は連結部材（不図示）により連結され、並び方向の両端側の壁パネル１６の側辺部は柱材３６にビス４０等を用いて固定される。
【００１６】
図３に示すように、四本のつなぎ材３８は平面視で矩形を呈するように設けられる。四本のつなぎ材３８のそれぞれは、四本のつなぎ材３８がなす矩形の各辺に沿って延びる長尺体である。本実施形態のつなぎ材３８は、鋼等の金属を素材とする押出成形品（一体成形品）である。
【００１７】
取付部材２６は、複数の天井パネル１８それぞれの外辺部に取り付けられる。塞ぎ部材２８は、天井パネル１８の外辺部と壁パネル１６との間に形成される隙間を塞いでいる。締結具３０は、塞ぎ部材２８と取付部材２６とつなぎ材３８を貫通する。締結具３０は、つなぎ材３８にねじ込まれ、つなぎ材３８とともに塞ぎ部材２８及び取付部材２６を共締めすることで、これらをつなぎ材３８に固定している。これにより、天井パネル１８は、取付部材２６を介してつなぎ材３８に固定される。
【００１８】
図５は、図２の一部の拡大図である。壁パネル１６は、壁パネル１６の上端部に設けられた第１厚み部１６ａと、第１厚み部１６ａより下方に設けられた第２厚み部１６ｂとを有する。本実施形態の第１厚み部１６ａは表面材３２のみがある箇所であり、第２厚み部１６ｂは表面材３２と裏打ち材３４とがある箇所である。第１厚み部１６ａと第２厚み部１６ｂとでは第２厚み部１６ｂの方が厚みが大きくなるように設定される。ここでの厚みとは室内外方向Ｙ（後述する）での寸法をいう。第２厚み部１６ｂの表面は第１厚み部１６ａの表面と室内外方向Ｙでの位置が揃えられる。第２厚み部１６ｂの裏面は第１厚み部１６ａの裏面より室外側に配置される。
【００１９】
位置決め具２４は、壁パネル１６より室外側に配置される。本実施形態の位置決め具２４は、壁パネル１６の幅方向Ｘの中央部より室外側に配置される（図４参照）。位置決め具２４は、第１位置決め部４２を有する内側部分４４（第１部分）と、第２位置決め部４６を有する外側部分４８（第２部分）と、内側部分４４と外側部分４８を接続する易破断部５０（接続部）とを備える。
【００２０】
以下、一つの壁パネル１６の室外側の位置決め具２４や周辺構造を説明するときは、壁パネル１６の幅方向Ｘ（図４参照）と室内外方向Ｙを用いて説明する。幅方向Ｘは、壁パネル１６を室内空間１４から見て左右に延びる水平方向であり、室内外方向Ｙは、その幅方向Ｘと直交する水平方向である。室内外方向Ｙは壁パネル１６の法線方向でもある。
【００２１】
位置決め具２４の使用場面を簡単に説明する。
位置決め具２４は、主には、二つの場面で使用される。いずれの場面でも、位置決め具２４は、壁パネル１６を柱材３６に固定するとき、つなぎ材３８に対して壁パネル１６を室内外方向Ｙに位置決めする役割を果たす。第１の場面では、図５に示すように、位置決め具２４の第１位置決め部４２を用いて壁パネル１６を位置決めする。第１の場面では、位置決め具２４は、壁パネル１６の第１厚み部１６ａの室外側に配置される。第１の場面では、壁パネル１６は、位置決め具２４の第１位置決め部４２に折り返し部３２ｃが当たることにより位置決めされる。この折り返し部３２ｃは、第１位置決め部４２と当たることにより位置決めされる第１被当接部１６ｃとして機能する。
【００２２】
図６は、位置決め具２４の第２位置決め部４６を用いて壁パネル１６を位置決めする第２の場面を説明するための図である。本図ではルームユニット１２の組み立て後の状態を示す。第２の場面では、位置決め具２４の易破断部５０を破断して内側部分４４を取り除き、第２位置決め部４６を用いて壁パネル１６を位置決めする。第２の場面では、壁パネル１６の上端部が切除され、位置決め具２４が壁パネル１６の第２厚み部１６ｂの室外側に配置される。第２の場面では、壁パネル１６は、位置決め具２４の第２位置決め部４６に第２厚み部１６ｂの裏面が当たることにより位置決めされる。この第２厚み部１６ｂの裏面は、第２位置決め部４６と当たることにより位置決めされる第２被当接部１６ｄとして機能する。第２被当接部１６ｄは、第１被当接部１６ｃより室内外方向Ｙの外側に設けられる（図２参照）。
【００２３】
第２の場面では、位置決め具２４の内側部分４４を取り除くことで、第２位置決め部４６を用いて壁パネル１６を位置決めできる。また、位置決め具２４に内側部分４４がないため、位置決め具２４の納まりを変えつつも、その周辺構造（壁パネル１６の第２被当接部１６ｄ）との干渉を避けられる。よって、位置決め具２４の納まりを変えるように現場で調整し易くなり、施工現場での対応の自由度を高められる。
【００２４】
位置決め具２４の構成を説明する。
図７は、位置決め具２４の斜視図である。本実施形態の位置決め具２４は樹脂を用いた射出成形品（一体成形品）である。
【００２５】
図５、図７に示すように、内側部分４４は室内外方向Ｙの内側に配置され、外側部分４８は室内外方向Ｙの外側に配置される。内側部分４４は、外側部分４８と室内外方向Ｙに対向する内側対向部４４ａを有する。外側部分４８は、内側部分４４と室内外方向Ｙに対向する外側対向部４８ａを有する。
【００２６】
内側部分４４は、第１周壁部４４ｂと、第１内壁部４４ｃと、位置決め溝部４４ｄと、を有する。内側部分４４の室内外方向Ｙの内側にある内側面部には、その内側に向かって凸となる曲面４４ｅが形成される。内側部分４４の上面部には室内外方向Ｙの内側から外側に向かって上り勾配となる斜面４４ｆが形成される。
【００２７】
第１周壁部４４ｂは、幅方向Ｘに延びる中空閉断面を形成する。第１周壁部４４ｂの内部空間は幅方向Ｘの外方に向かって開いている。第１内壁部４４ｃは第１周壁部４４ｂの内周側に配置される。第１内壁部４４ｃは第１周壁部４４ｂの内部空間を幅方向Ｘに仕切る板状をなす。
【００２８】
位置決め溝部４４ｄは、内側部分４４の上面部に設けられる。位置決め溝部４４ｄは、前述の通り、壁パネル１６の第１被当接部１６ｃ（折り返し部３２ｃ）が当たることにより、つなぎ材３８に対して壁パネル１６を室内外方向Ｙに位置決めするための第１位置決め部４２として機能する。本実施形態の位置決め溝部４４ｄは上向きに開いている。壁パネル１６の第１被当接部１６ｃは、位置決め溝部４４ｄ内に上方から差し込まれる。位置決め溝部４４ｄは、壁パネル１６の折り返し部３２ｃに対して室内外方向Ｙの両側に配置される一対の内壁面４４ｄａを有する。壁パネル１６は、柱材３６に固定されるとき、一対の内壁面４４ｄａのそれぞれに壁パネル１６の折り返し部３２ｃを当てることで、室内外方向Ｙに位置決めされる。
【００２９】
外側部分４８は、第２位置決め部４６と、第２周壁部４８ｂと、第２内壁部４８ｃと、取付部５２と、を有する。外側部分４８の上面部は室内外方向Ｙに延びる平面状に形成される。外側部分４８の上面部には、その室内外方向Ｙの外側の端部に上向きに突き出る突起部４８ｄが形成される。外側部分４８の下面部には上向きに僅かに窪む窪み部４８ｅが形成される。
【００３０】
第２位置決め部４６は、外側部分４８の外側対向部４８ａの下部に設けられる。第２位置決め部４６は第１位置決め部４２とは異なる箇所に設けられる。より詳しくは、第２位置決め部４６は、第１位置決め部４２より室内外方向Ｙの外側、つまり、第１位置決め部４２とは室内外方向Ｙの異なる位置に設けられる。第２位置決め部４６は、前述の通り、易破断部５０を破断させて内側部分４４を取り除いたとき、壁パネル１６の第２被当接部１６ｄ（第２厚み部１６ｂの裏面）に当てるためのものである。第２位置決め部４６は、易破断部５０より室内外方向Ｙの内側に設けられる。第２位置決め部４６は、易破断部５０が外側部分４８と連なる第２連設箇所４８ｆより室内外方向Ｙの内側に設けられる。
【００３１】
第２周壁部４８ｂは幅方向Ｘに延びる中空閉断面を形成する。第２周壁部４８ｂの内部空間は幅方向Ｘの外方に向かって開いている。第２内壁部４８ｃは第２周壁部４８ｂの内周側に配置される。第２内壁部４８ｃは第２周壁部４８ｂの内部空間を幅方向Ｘに仕切る板状をなす。
【００３２】
取付部５２は、外側部分４８の室内外方向Ｙの外側の箇所に設けられている。本実施形態の取付部５２は、第２周壁部４８ｂの室内外方向Ｙの外側の外側面部に繋がれている。取付部５２は、つなぎ材３８に形成されるかぎ状の切欠孔３８ａ（図４も参照）に挿通される軸部５２ａと、つなぎ材３８の切欠孔３８ａからの抜け出しを規制する抜け止め部５２ｂとを有する。位置決め具２４は、切欠孔３８ａの内壁面に軸部５２ａが当たることで、つなぎ材３８に支持された状態でつなぎ材３８に取り付けられる。
【００３３】
易破断部５０は、内側部分４４と外側部分４８を接続する。本実施形態の易破断部５０は、内側部分４４の内側対向部４４ａと外側部分４８の外側対向部４８ａとを接続する。本実施形態の易破断部５０は、内側対向部４４ａの上部と外側対向部４８ａの上部とを接続し、内側対向部４４ａの下部と外側対向部４８ａの下部とは離間している。易破断部５０は、易破断部５０を境界として破断し易くなるように形状が設定されている。易破断部５０の詳細は後述する。
【００３４】
内側部分４４の内側対向部４４ａには、内側対向部４４ａの易破断部５０と連なる第１連設箇所４４ｇから第２位置決め部４６に向かう途中位置に第１段差面４４ｈが形成される。第１段差面４４ｈは、第２位置決め部４６に臨むように設けられる。外側部分４８の外側対向部４８ａには、外側対向部４８ａの易破断部５０と連なる第２連設箇所４８ｆから第２位置決め部４６に向かう途中位置に第２段差面４８ｇが形成される。第２段差面４８ｇは、易破断部５０に臨むように設けられる。
【００３５】
以上の位置決め具２４を用いたルームユニット１２の組み立て方法を説明する。ルームユニット１２は内組後方を用いて組み立てる。つまり、ルームユニット１２の室内空間１４となるべき箇所を作業空間としてルームユニット１２を組み立てる。
【００３６】
先に、前述した第１の場面と第２の場面の共通点から説明する。まず、建物の躯体の床面上に床体２０を設置する。この後、床体２０上に複数の柱材３６を設置する。この後、複数の柱材３６の上端部にねじ止め等によりつなぎ材３８を固定し、複数の柱材３６をつなぎ材３８により連結する。この後、つなぎ材３８に位置決め具２４を取り付ける。この後、つなぎ材３８に対して壁パネル１６を位置決め具２４により室内外方向Ｙに位置決めしつつ、壁パネル１６を柱材３６にねじ止め等により固定する。この後、壁パネル１６の上方に天井パネル１８を配置し、取付部材２６、塞ぎ部材２８、締結具３０を用いて天井パネル１８をつなぎ材３８に固定する。
【００３７】
次に、前述した第１の場面での組み立て方法を説明する。第１の場面では、予め定められた設定寸法のルームユニット１２の部品を用いてルームユニット１２を組み立てる。第１の場面では、図５に示すように、位置決め具２４の易破断部５０を破断せずに、内側部分４４と外側部分４８が易破断部５０により接続された位置決め具２４を用いる。第１の場面では、壁パネル１６を柱材３６に固定するとき、壁パネル１６の第１被当接部１６ｃ（折り返し部３２ｃ）を位置決め具２４の位置決め溝部４４ｄに当てることで、つなぎ材３８に対して壁パネル１６を室内外方向Ｙに位置決めする。このとき、位置決め具２４の第２位置決め部４６は壁パネル１６に当たらない。
【００３８】
次に、前述した第２の場面での組み立て方法を説明する。第２の場面の例として、図６に示すように、前述の設定寸法のルームユニット１２の組立予定箇所の上方に、そのルームユニット１２と干渉する障害物５４がある場合を説明する。この障害物５４は、たとえば、建物の躯体の天井面から下向きに突き出る突出部分である。
【００３９】
第２の場面では、現場に搬入した設定寸法のルームユニット１２の部品を用いてルームユニット１２を組み立てる。具体的には、組立予定箇所にある天井面の障害物５４との干渉を避けるため、ルームユニット１２の高さが低くなるように現場で調整する。より詳しくは、図８に示すように、壁パネル１６の上端部や、柱材３６の上端部を切除する。本図では切除箇所をハッチングＳ１により示す。これにより、図２、図６に示すように、天井パネル１８、つなぎ材３８、位置決め具２４、取付部材２６、塞ぎ部材２８を第１の場面より低位置に配置できる。このとき、壁パネル１６は第１厚み部１６ａや第１被当接部１６ｃを切除し、第２厚み部１６ｂや第２被当接部１６ｄは残したままとする。また、天井パネル１８等は上下方向（鉛直方向）での位置のみを変えて水平方向での位置は変えない。
【００４０】
この場合、壁パネル１６の上端部を切除するため、壁パネル１６の第１被当接部１６ｃを用いた位置決め具２４の位置決めをできなくなる。そこで、本実施形態では、位置決め具２４の易破断部５０を破断することで内側部分４４を取り除き、壁パネル１６の第２被当接部１６ｄを用いて壁パネル１６を位置決めする。詳しくは、位置決め具２４の第２位置決め部４６を壁パネル１６の第２被当接部１６ｄに当てることで、つなぎ材３８に対して壁パネル１６を室内外方向Ｙに位置決めする。このとき、位置決め具２４は、第１の場面でのつなぎ材３８への取付箇所と比べて、室内外方向Ｙでの相対位置が変わらず、上下方向での相対位置のみが変えられる。
【００４１】
これを実現するため、図５に示すように、位置決め具２４は、ベース２２への取付箇所２４ａから第２位置決め部４６までの室内外方向Ｙの寸法Ｌａが、その取付箇所２４ａから第２被当接部１６ｄまでの室内外方向Ｙでの寸法Ｌｂと同等の大きさに設定される。ここでの「同等」とは両者が完全に同じ場合とほぼ同じ場合の両方が含まれる。
【００４２】
これにより、設定寸法のルームユニット１２の組立予定箇所の上方にルームユニット１２と干渉する障害物５４がある場合でも、設定寸法のルームユニット１２の部品を用いて、障害物５４との干渉を避けつつルームユニット１２を組み立て易くなる。
【００４３】
なお、第２の場面では、図６に示すように、位置決め具２４の第２位置決め部４６は、壁パネル１６の室外側への変位を規制することにより、壁パネル１６を室内外方向Ｙに位置決めする。前述の塞ぎ部材２８は、壁パネル１６より室内側に配置されて上下に延びる垂下部２８ａと、垂下部２８ａの裏面側に設けられる軟質部２８ｂとを有する。軟質部２８ｂは垂下部２８ａと壁パネル１６の間に弾性変形した状態で設けられ、壁パネル１６の室内側への変位を規制することで、壁パネル１６を室内外方向Ｙに位置決めする。
【００４４】
以上の位置決め具２４やルームユニット１２の作用効果を説明する。
位置決め具２４の第２位置決め部４６は、易破断部５０より室内外方向Ｙの内側に設けられる。よって、易破断部５０を破断したときに易破断部５０の一部が外側部分４８に付いて残ったままになっても、その易破断部５０の一部が第２位置決め部４６より室内外方向Ｙの内側に配置され難くなる。このため、位置決め具２４の第２位置決め部４６を用いる場合に、易破断部５０の残った一部が壁パネル１６と干渉し難くなり、第２位置決め部４６により壁パネル１６を安定して位置決めできる。
【００４５】
位置決め具２４の外側部分４８は中空閉断面を形成する第２周壁部４８ｂを有する。よって、位置決め具２４の易破断部５０を破断した後、外側部分４８の第２位置決め部４６を用いる場合に、外側部分４８の十分な強度を確保し易くなる。
【００４６】
位置決め具２４の他の特徴を説明する。
図９は、図５のＡ−Ａ線断面図であり、図１０は、図５のＢ−Ｂ線断面図である。位置決め具２４の易破断部５０は、内側部分４４と外側部分４８の間にて室内外方向Ｙに延びるように設けられる。本実施形態の易破断部５０は、上壁部５０ａと、下壁部５０ｂと、上壁部５０ａと下壁部５０ｂを繋ぐ繋ぎ壁部５０ｃとを有する。
【００４７】
位置決め具２４の易破断部５０は、前述の通り、易破断部５０を境界として破断し易くなるように形状が設定されている。これを実現するため、本実施形態の易破断部５０は、内側部分４４と連なる第１連設箇所４４ｇや外側部分４８と連なる第２連設箇所４８ｆより断面寸法が小さくなるように設定される。詳しくは、易破断部５０の断面寸法は、内側部分４４の第１連設箇所４４ｇや外側部分４８の第２連設箇所４８ｆの幅方向Ｘに沿った横幅Ｌｃ１より小さい横幅Ｌｃ２である。また、易破断部５０の断面寸法は、外側部分４８の第２連設箇所４８ｆの上下方向に沿った縦幅Ｌｄ１より小さい縦幅Ｌｄ２である。ここでの断面とは易破断部５０の延び方向（本例では室内外方向Ｙ）に直交する断面をいう。
【００４８】
本実施形態の位置決め具２４は、易破断部５０の切断に用いる刃物５６をガイドするための第１ガイド溝５８を有する。この刃物５６は鋸刃等である。第１ガイド溝５８は、内側部分４４の内側対向部４４ａと外側部分４８の外側対向部４８ａとの間に設けられる。第１ガイド溝５８は、易破断部５０に対して幅方向Ｘの両側方に個別に設けられる。第１ガイド溝５８は、易破断部５０の延び方向と直交する断面において、内側部分４４や外側部分４８の外面である幅方向Ｘの側面４４ｋ、４８ｋより易破断部５０に近づく方向（図中左右方向）を溝深さ方向とし、その側面４４ｋ、４８ｋに沿った方向（図中上下方向）を溝長手方向とする溝状をなす。第１ガイド溝５８の溝長手方向の寸法は易破断部５０の同方向での寸法Ｌｄ１より長くなるように設定される。
【００４９】
第１ガイド溝５８は、幅方向Ｘの外方に向かって開く溝入口５８ａと、上方に向かって開く刃先進退口５８ｂとを有する。易破断部５０には、第１ガイド溝５８の溝底面によって、刃先進退口５８ｂ寄りの位置に角部５０ｄが設けられる。
【００５０】
第１ガイド溝５８を用いた易破断部５０の切断手順を説明する。
刃物５６は易破断部５０の角部５０ｄに刃先５６ａを当てるように配置する。このとき、刃物５６は第１ガイド溝５８の溝側面（内側部分４４の内側対向部４４ａと外側部分４８の外側対向部４８ａ）に当てるように配置する。この状態で刃物５６の刃先５６ａが刃先進退口５８ｂを進退するように方向Ｐａに動かすことで、易破断部５０の角部５０ｄから徐々に易破断部５０を切断できる。このとき、第１ガイド溝５８の溝側面に刃物５６を当てつつ動かすことで、第１ガイド溝５８により刃物５６の動きをガイドできる。これにより、位置決め具２４に対する刃物５６の位置ずれを抑えつつ作業できる。
【００５１】
なお、易破断部５０の第１ガイド溝５８の溝底面と隣り合い、易破断部５０の角部５０ｄを形成する壁面、つまり、易破断部５０の上壁部５０ａの上面には、第２ガイド溝６０が形成される。第２ガイド溝６０は、易破断部５０に対して第２位置決め部４６とは反対側に臨む面に形成される。第２ガイド溝６０は、内側部分４４の上面部や外側部分４８の上面部より下方に凹む溝状をなす。第２ガイド溝６０は、第１ガイド溝５８の溝入口５８ａに近づくにつれて凹み量が大きくなるように形成される。第２ガイド溝６０は、刃物５６の先端部の刃先５６ａを内側に配置して刃物５６を動かすことで、刃物５６をガイドするためのものである。これにより、刃物５６の一部を第１ガイド溝５８内に配置する作業をし易くなる。
【００５２】
易破断部５０は、内側部分４４の上面部と外側部分４８の上面部を段差なく面一に連続させる連続面５０ｅを有する。連続面５０ｅは、前述の第１の場面において、壁パネル１６の第１被当接部１６ｃを位置決め具２４上に載せた状態で壁パネル１６を動かすとき、外側部分４８や内側部分４４の上面部との間で壁パネル１６の第１被当接部１６ｃを連続的にスライドさせ易くするためのものである。これにより、壁パネル１６の第１被当接部１６ｃが第２ガイド溝６０内に入り込み難くなり、壁パネル１６の第１被当接部１６ｃを位置決め具２４の上面部に載せつつ位置決め溝部４４ｄ内に差し込む作業をし易くなる。
【００５３】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して説明しているが、そのような表記のない内容に設計変更が許容されないわけではない。また、図面の断面に付したハッチングは、ハッチングを付した対象の材質を限定するものではない。
【００５４】
ベース２２は、柱材３６とつなぎ材３８の組み合わせにより構成される例を説明したが、これに限られない。たとえば、ベース２２は、建物の躯体を構成する柱梁等の軸材でもよい。
【００５５】
位置決め具２４は、易破断部５０を破断して内側部分４４を取り除いた第２の場面では、易破断部５０を破断しない第１の場面と比べて上下方向での位置のみを変えて水平方向での位置を変えない例を説明した。この他にも、第２の場面では、第１の場面と比べて上下方向での位置を変えずに室内外方向Ｙでの位置を変えてもよい。たとえば、設定寸法のルームユニット１２の組立予定箇所の側方に、そのルームユニット１２と干渉する障害物がある場合を考える。この場合に、易破断部５０を破断して内側部分４４を取り除き、壁パネル１６に対してつなぎ材３８や位置決め具２４の位置を室内外方向Ｙの内側に近づけることで、その障害物との干渉を避けられるケースもあり得る。この場合でも、位置決め具２４に内側部分４４がないため、位置決め具２４の納まりを変えつつも、その周辺構造（壁パネル１６）との干渉を避け易くなる。
【００５６】
また、位置決め具２４は、第１部分４４が室内外方向Ｙの内側にある内側部分４４であり、第２部分４６が室内外方向Ｙの外側に外側部分４６である例を説明した。これら第１部分４４と第２部分４６の位置関係はこれに限られない。たとえば、第１部分４４が上側にあり、第２部分４６が下側にあってもよい。この場合でも、位置決め具２４に第１部分４４がないため、位置決め具２４の納まりを変えつつも、その周辺構造との干渉を避け易くなる。
【００５７】
第１位置決め部は内側部分４４の上面部に設けられる位置決め溝部である例を説明したが、これに限られない。たとえば、第１位置決め部は、内側部分４４の室内外方向Ｙの内側にある内側面部でもよい。この場合、第１位置決め部４２は、壁パネル１６の第１厚み部１６ａに裏側から当たることにより壁パネル１６を室内外方向Ｙに位置決めしてもよい。この場合、第１厚み部１６ａの裏面が第１被当接部１６ｃとして機能する。
【００５８】
第２位置決め部４６は、前述の第１連設箇所４４ｇより室内外方向Ｙの内側に設けられる例を説明したが、第１連設箇所４４ｇ又は第２連設箇所４８ｆより室内外方向Ｙの外側に設けられてもよい。この場合、たとえば、易破断部５０を破断したとき、外側部分４８の第２位置決め部４６のみが壁パネル１６に当たるように、位置決め具２４の位置を調整してもよい。
【００５９】
内側部分４４や外側部分４８の断面形状は特に限られず、中空開断面を形成する周壁部を有していてもよい。
【００６０】
易破断部５０は、易破断部５０を境界として破断し易くなるように形状を設定するため、内側部分４４や外側部分４８より断面寸法が小さくなるように設定される例を説明したが、これに限られない。たとえば、易破断部５０は、易破断部５０の一部にミシン目や切り込み等を設けることで、破断し易くなるような形状に設定してもよい。これら切り込み等は、易破断部５０を構成する壁部分を厚み方向に貫通してもよいし、貫通しなくともよい。
【００６１】
以上の実施形態、変形例により具体化される内容を一般化すると、以下の技術的思想が導かれる。以下、発明が解決しようとする課題に記載の態様を用いて説明する。
【００６２】
第２態様の位置決め具は、第１態様において、前記易破断部の切断に用いる刃物をガイドするためのガイド溝を備えてもよい。
この態様によれば、ガイド溝の溝側面に刃物を当てつつ動かすことで、ガイド溝により刃物の動きをガイドできる。これにより、位置決め具に対する刃物の位置ずれを抑えつつ作業できる。
【００６３】
第３態様の位置決め具は、第１または第２態様において、前記第１部分がある場合、前記第１位置決め部により前記壁パネルを位置決め可能であり、前記易破断部を破断して前記第１部分を取り除いた場合、前記第２部分により前記壁パネルを位置決め可能でもよい。
【００６４】
第４態様の位置決め具は、第１から第３態様のいずれかにおいて、前記第２位置決め部は、前記易破断部より室内外方向の内側に設けられてもよい。
この態様によれば、易破断部を破断したときに易破断部の一部が第２部分に付いて残ったままになっても、その易破断部の一部が第２位置決め部より室内外方向の内側に配置され難くなる。このため、位置決め具の第２位置決め部を用いる場合に、易破断部の残った一部が壁パネルと干渉し難くなり、第２位置決め部により壁パネルを安定して位置決めできる。
【００６５】
第５態様の位置決め具は、第１から第４態様のいずれかにおいて、前記第２部分は、中空閉断面を形成する周壁部を有してもよい。
この態様によれば、位置決め具の易破断部を破断した後、第２部分の第２位置決め部を用いる場合に、第２部分の十分な強度を確保し易くなる。
【００６６】
第６態様はルームユニットである。第６態様のルームユニットは、室内空間を形成する壁パネルと、前記壁パネルの室外側に配置されるベースと、前記ベースに取り付けられる前述の態様の位置決め具と、を備える。
【００６７】
第７態様のルームユニットは、第６態様において、前記壁パネルは、前記第１位置決め部と当たることにより位置決めされる第１被当接部と、前記第１被当接部より下方にて前記第１被当接部より室内外方向の外側に設けられた第２被当接部と、を有し、前記位置決め具は、前記ベースへの取付箇所から前記第２位置決め部までの室内外方向での寸法が、前記取付箇所から前記第２被当接部までの室内外方向での寸法と同等の大きさに設定されてもよい。
この態様によれば、設定寸法のユニットルームの組立予定箇所の上方にルームユニットと干渉する障害物がある場合でも、設定寸法のユニットルームの部品を用いて、障害物との干渉を避けつつルームユニットを組み立て易くなる。
【符号の説明】
【００６８】
１２  ルームユニット、  １４  室内空間、  １６  壁パネル、  １６ｃ  第１被当接部、  １６ｄ  第２被当接部、  ２２  ベース、  ２４  位置決め具、  ２４ａ  取付箇所、  ４２  第１位置決め部、  ４４  第１部分（内側部分）、  ４６  第２位置決め部、  ４８  第２部分（外側部分）、  ５０  易破断部、  ５６  刃物、  ５８  第１ガイド溝。
【図１】
2018100580.tif 000003
【図２】
2018100580.tif 000004
【図３】
2018100580.tif 000005
【図４】
2018100580.tif 000006
【図５】
2018100580.tif 000007
【図６】
2018100580.tif 000008
【図７】
2018100580.tif 000009
【図８】
2018100580.tif 000010
【図９】
2018100580.tif 000011
【図１０】
2018100580.tif 000012